(57)【要約】      （修正有）【課題】顔幅の狭い使用者の着用に適合し進水の恐れがない水泳用ゴーグルの提供。【解決手段】軟質材料の第１フレーム２０を硬質材料の第２フレーム２１で被覆したフレーム２、及びフレームに収容されたレンズ３、及びヘッドバンド装置４を包含し、そのうち、第２フレームの上端に強化構造が設置され、該第２フレームの上端中央構造強度が増され、且つ第２フレームの両側にヘッドバンド取り付け用の調整バックル４０が設けられ、こうして水泳用ゴーグル着用時に、第１フレーム上の保護パッド２０５の上端が折り曲げ不能となり、左右両側が着用者の額に接合し、有効に水の進入を防止し、且つヘッドバンド装置が硬質材料の第２フレームに取り付けられて、強固な取り付け効果を有する。【選択図】図１
0003118679.tif 000002
【実用新案登録請求の範囲】
【請求項１】
水泳用ゴーグルにおいて、
フレームであって、軟質材料で形成された第１フレームで硬質材料で形成された第２フレームを被覆してなり、そのうち、
該第１フレームは、第１表面と該第１表面に背向する第２表面、該第１表面と該第２表面の間に形成された被覆溝、及び、及び第１表面と第２表面を連接する第３表面を具え、且つ第２表面にフェイスマスク式保護パッドが設けられ、
該第２フレームは、該第１フレームの被覆溝に対応する収容フレーム口を具え、且つ該第２フレームの上端中央に強化構造を具えている、上記フレームと、
レンズであって、該第２フレームの収容フレーム口に取り付けられる、上記レンズと、  ヘッドバンド装置であって、調整バックルとヘッドバンドを包含し、該調整バックルが該フレームの左右両側に取り付けられ、該ヘッドバンドが該調整バックルと組み合わされた、上記ヘッドバンド装置と、
を包含したことを特徴とする、水泳用ゴーグル。
【請求項２】
請求項１記載の水泳用ゴーグルにおいて、該第２フレームの上端中央の強化構造が、第２フレームの中央に設けられたリブと、該リブの両側に設置された強化面を包含したことを特徴とする、水泳用ゴーグル。
【請求項３】
請求項２記載の水泳用ゴーグルにおいて、該強化面が中央より両側に向けて面積が漸減し、これにより中央の構造強度が最大で中央より両側に離れるほど構造強度が漸減し、水泳用ゴーグルが引っ張られる時に、第２フレームの上端中央が折れ曲がって変形せず、中央両側が次第に変形するよう形成されたことを特徴とする、水泳用ゴーグル。
【請求項４】
請求項３記載の水泳用ゴーグルにおいて、該強化面に第１フレームの第２表面に向けて取り付け柱が設けられ、該第２表面の被覆時に良好な抓持を形成することを特徴とする、水泳用ゴーグル。
【請求項５】
請求項１記載の水泳用ゴーグルにおいて、第２フレームの中央に連接部が設けられて、第２フレームの収容フレーム口が左右の二つの部分に区画されたことを特徴とする、水泳用ゴーグル。
【請求項６】
請求項５記載の水泳用ゴーグルにおいて、レンズが２片設けられ、それぞれ第２フレームの左右の収容フレーム口内に取り付けられたことを特徴とする、水泳用ゴーグル。
【請求項７】
請求項６記載の水泳用ゴーグルにおいて、第２フレームの下端の左右底側に、さらに強化構造が設けられ、この強化構造は、左右底側の中央に設置されて面積が両側に向けて漸減する強化面であることを特徴とする、水泳用ゴーグル。
【請求項８】
請求項７記載の水泳用ゴーグルにおいて、第２フレームの左右の収容フレーム口内側に位置決めピンが設けられ、レンズの周縁に複数の位置決め孔が設けられ、位置決めピンに対応する一部の位置決め孔により、レンズが位置決めピンに組み合わされ、その他の位置決め孔が一体成形時のプラスチック材料の充填による抓持効果を提供することを特徴とする、水泳用ゴーグル。
【請求項９】
請求項１記載の水泳用ゴーグルにおいて、調整バックルは第２フレームに取り付けられ、それは、第２フレームに一体に形成されたベースと、該ベースの上下より対向するよう延伸されて二組の軸接孔が設けられた組合せアーム、及び、この二組の軸接孔に取り付けられた支持軸と固定軸を包含することを特徴とする、水泳用ゴーグル。
【請求項１０】
請求項９記載の水泳用ゴーグルにおいて、該支持軸の両端に頸部が設けられ、該頸部が軸接孔内に組み合わされ、これにより上下の組合せアームと強固に結合されたことを特徴とする、水泳用ゴーグル。
【請求項１１】
請求項１０記載の水泳用ゴーグルにおいて、該固定軸は該ベースの近くに取り付けられ、てこ式に押し板が組み合わされ、該押し板は第１フレームの第１表面に対向し、その一端が該第１表面の凹部を押圧可能であり、該押し板は押圧の後、該凹部の変形の回復力により、もとの位置に押し戻され、押し板の別の一端は手部の操作に供され、且つ第１逆止め体が設けられたことを特徴とする、水泳用ゴーグル。
【請求項１２】
請求項１１記載の水泳用ゴーグルにおいて、該ヘッドバンドに、等距離に第２逆止め体が設けられ、該第２逆止め体は前述の押し板の第１逆止め体と単一方向で噛み合い、即ち、ヘッドバンドが引き締めの方向のみに移動可能とされ、ゆるめる方向には移動不能とされたことを特徴とする、水泳用ゴーグル。
【請求項１３】
請求項１２記載の水泳用ゴーグルにおいて、該第１逆止め体が直角三角柱体とされ、第２逆止め体が直角台形とされたことを特徴とする、水泳用ゴーグル。
【請求項１４】
請求項１３記載の水泳用ゴーグルにおいて、該押し板が押圧する前記第１表面の部分に、凹部が形成されて適宜肉厚が提供され、押し板押圧の後、変形弾性により押し板を定位に押し戻すことを特徴とする、水泳用ゴーグル。
【請求項１５】
請求項１４記載の水泳用ゴーグルにおいて、前記第１フレームの第１表面と第２表面が第２フレーム及び第２フレームのリブ、連接部、及び調整バックルのベース及び二つの組合せアームの局部を被覆し、第２フレームの中央及び左右底側の強化面、及び組合せアームの軸接孔を露出させたことを特徴とする、水泳用ゴーグル。
【請求項１６】
フレームであって、軟質材料で形成された第１フレームと硬質材料で形成された第２フレームからなり、そのうち、
該第１フレームは、第１表面と該第１表面に背向する第２表面、該第１表面と該第２表面の間に形成された被覆溝、及び、及び第１表面と第２表面を連接する第３表面を具え、且つ第２表面にフェイスマスク式保護パッドが設けられ、
該第２フレームは、該第１フレームの被覆溝に対応する収容フレーム口を具えている、上記フレームと、
ヘッドバンド装置であって、調整バックルとヘッドバンドを包含し、該調整バックルが該フレームの左右両側に取り付けられ、該ヘッドバンドが該調整バックルと組み合わされた、上記ヘッドバンド装置と、
を包含する水泳用ゴーグルにおいて、
該調整バックルが、
硬質材料で形成されて該第２フレームと一体に形成されたベース、
該ベースの上下より対向するよう延伸されて二組の軸接孔が設けられた組合せアーム、  該ベースより離れた軸接孔に取り付けられて、その両端に頸部が設けられて、該頸部により軸接孔に組み合わされた支持軸、
該ベースに近い軸接孔に取り付けられてると共に、てこ式に押し板が組み合わされ、該押し板の一端が該第１フレームの第一表面を押圧可能で、該第１フレームの軟質材料の特性により押し板が押圧後の回復力を付与され、押し板のもう一端が手部による操作に供され並びに第１逆止め体が設けられた固定軸、
を包含し、
該ヘッドバンドに等距離に第２逆止め体が設けられ、該押し板の第１逆止め体と単一方向に噛み合い、即ち、ヘッドバンドが引き締めの方向に移動可能で、緩める方向に移動不能とされたことを特徴とする、水泳用ゴーグル。
【請求項１７】
請求項１６記載の水泳用ゴーグルにおいて、前記第１逆止め体が直角三角柱体とされ、第２逆止め体が直角台形とされたことを特徴とする、水泳用ゴーグル。
【請求項１８】
請求項１７記載の水泳用ゴーグルにおいて、該押し板が押圧する前記第１表面の部分に、凹部が形成されて適宜肉厚が提供され、押し板押圧の後、変形弾性により押し板を定位に押し戻すことを特徴とする、水泳用ゴーグル。
【考案の詳細な説明】
【技術分野】
【０００１】
本考案は一種の水泳用ゴーグルに係り、特にフェイスマスク式保護パッドを具備し、且つフレームが軟質材料の第１フレームを硬質材料で形成された第２フレームで被覆してなり、並びに第２フレームの上端中央に強化構造が設けられ、両側にヘッドバンド装置が取り付けられ、軟質材料の第１フレームに一体にフェイスマスク式保護パッドが設けられ、水泳用ゴーグルを着用して水の進入の恐れがなく、且つ構造組立が強固である水泳用ゴーグルの構造に関する。
【背景技術】
【０００２】
本考案と関係するフェイスマスク式保護パッドを具えた水泳用ゴーグルは、特許文献１〜５等に記載され、このようなフェイスマスク式保護パッドを具えた水泳用ゴーグルの長所は、着用時に保護パッドが着用者の額及び眼窩の下方に接合し、これにより両目が同一空間内に包囲され、眼球圧迫の不適感がなく、且つ気密防水の効果を提供できることにある。
【０００３】
ただし、周知の水泳用ゴーグルの保護パッドは取り付け方式のもの或いは一体方式で水泳用ゴーグルに形成されてたもののいずれであっても、保護パッドの横向きの幅は一定範囲に制限され、顔が比較的幅広の着用者に対しては、理想的な気密防水効果を提供できるが、顔の幅が比較的狭い着用者に対しては、着用後に保護パッドが着用による引っ張り力を受けることから、保護パッドの額に対応する上端中央部分が折り曲げられて間隙が形成され、進水の恐れがある。簡単に言うと、周知のフェイスマスク式保護パッドを具えた水泳用ゴーグルは着用時に、保護パッドが顔幅の細い使用者に適合せず進水の恐れがあり、このため改善が求められている。
【０００４】
更に、このようなフェイスマスク式保護パッドを具えた水泳用ゴーグルは着用時にヘッドバンド装置の調整に関して、どのような形式の構造であっても、ヘッドバンドの調整装置がいずれも硬質で且つ相互に係合して一体とされるベースとカバーで構成されて軟質のフレーム本体に取り付けられ、並びにベースとカバーの軸によりヘッドバンドを通すものとされる。これに関係する構造は、特許文献６から９に記載されている。しかし、硬質のベースとカバーを軟質のフレームに取り付けると、ヘッドバンドを通して固定し調整できるようにする効果は提供できるが、構造強度が理想的なものとならない。
【０００５】
【特許文献１】台湾実用新案登録第８９２１３５９１号明細書
【特許文献２】台湾実用新案登録第８９２０５１４５号明細書
【特許文献３】台湾実用新案登録第８９２１５４２３号明細書
【特許文献４】台湾実用新案登録第８９２１４６９９号明細書
【特許文献５】米国特許第９，６５２，７６５号明細書
【特許文献６】台湾実用新案登録第９１２２０９１４号明細書
【特許文献７】台湾実用新案登録第９２２１６６４０号明細書
【特許文献８】台湾実用新案登録第９３２０２６０１号明細書
【特許文献９】台湾実用新案登録第９３２０８４７３号明細書
【考案の開示】
【考案が解決しようとする課題】
【０００６】
本考案の主要な目的は、顔幅の狭い使用者の着用に適合し、進水の恐れがない水泳用ゴーグルを提供することにあり、この水泳用ゴーグルのフレームは軟質と硬質の材料で構成され、且つ硬質材料部分の上端中央に、強化構造が設置され、これにより水泳用ゴーグル着用時に、軟質の保護パッドの上端中央が折れ曲がらず、保護パッドの左右両側が額に接合し、有効に進水現象を防止できるものとする。
【０００７】
本考案のもう一つの目的は、一種の水泳用ゴーグルを提供することにあり、それは、ヘッドバンド装置が硬質のフレームに取り付けられ、これにより、部品と部品の間の組立が強固である効果を提供できるものとする。
【課題を解決するための手段】
【０００８】
請求項１の考案は、水泳用ゴーグルにおいて、
フレームであって、軟質材料で形成された第１フレームで硬質材料で形成された第２フレームを被覆してなり、そのうち、
該第１フレームは、第１表面と該第１表面に背向する第２表面、該第１表面と該第２表面の間に形成された被覆溝、及び、及び第１表面と第２表面を連接する第３表面を具え、且つ第２表面にフェイスマスク式保護パッドが設けられ、
該第２フレームは、該第１フレームの被覆溝に対応する収容フレーム口を具え、且つ該第２フレームの上端中央に強化構造を具えている、上記フレームと、
レンズであって、該第２フレームの収容フレーム口に取り付けられる、上記レンズと、  ヘッドバンド装置であって、調整バックルとヘッドバンドを包含し、該調整バックルが該フレームの左右両側に取り付けられ、該ヘッドバンドが該調整バックルと組み合わされた、上記ヘッドバンド装置と、
を包含したことを特徴とする、水泳用ゴーグルとしている。
請求項２の考案は、請求項１記載の水泳用ゴーグルにおいて、該第２フレームの上端中央の強化構造が、第２フレームの中央に設けられたリブと、該リブの両側に設置された強化面を包含したことを特徴とする、水泳用ゴーグルとしている。
請求項３の考案は、請求項２記載の水泳用ゴーグルにおいて、該強化面が中央より両側に向けて面積が漸減し、これにより中央の構造強度が最大で中央より両側に離れるほど構造強度が漸減し、水泳用ゴーグルが引っ張られる時に、第２フレームの上端中央が折れ曲がって変形せず、中央両側が次第に変形するよう形成されたことを特徴とする、水泳用ゴーグルとしている。
請求項４の考案は、請求項３記載の水泳用ゴーグルにおいて、該強化面に第１フレームの第２表面に向けて取り付け柱が設けられ、該第２表面の被覆時に良好な抓持を形成することを特徴とする、水泳用ゴーグルとしている。
請求項５の考案は、請求項１記載の水泳用ゴーグルにおいて、第２フレームの中央に連接部が設けられて、第２フレームの収容フレーム口が左右の二つの部分に区画されたことを特徴とする、水泳用ゴーグルとしている。
請求項６の考案は、請求項５記載の水泳用ゴーグルにおいて、レンズが２片設けられ、それぞれ第２フレームの左右の収容フレーム口内に取り付けられたことを特徴とする、水泳用ゴーグルとしている。
請求項７の考案は、請求項６記載の水泳用ゴーグルにおいて、第２フレームの下端の左右底側に、さらに強化構造が設けられ、この強化構造は、左右底側の中央に設置されて面積が両側に向けて漸減する強化面であることを特徴とする、水泳用ゴーグルとしている。
請求項８の考案は、請求項７記載の水泳用ゴーグルにおいて、第２フレームの左右の収容フレーム口内側に位置決めピンが設けられ、レンズの周縁に複数の位置決め孔が設けられ、位置決めピンに対応する一部の位置決め孔により、レンズが位置決めピンに組み合わされ、その他の位置決め孔が一体成形時のプラスチック材料の充填による抓持効果を提供することを特徴とする、水泳用ゴーグルとしている。
請求項９の考案は、請求項１記載の水泳用ゴーグルにおいて、調整バックルは第２フレームに取り付けられ、それは、第２フレームに一体に形成されたベースと、該ベースの上下より対向するよう延伸されて二組の軸接孔が設けられた組合せアーム、及び、この二組の軸接孔に取り付けられた支持軸と固定軸を包含することを特徴とする、水泳用ゴーグルとしている。
請求項１０の考案は、請求項９記載の水泳用ゴーグルにおいて、該支持軸の両端に頸部が設けられ、該頸部が軸接孔内に組み合わされ、これにより上下の組合せアームと強固に結合されたことを特徴とする、水泳用ゴーグルとしている。
請求項１１の考案は、請求項１０記載の水泳用ゴーグルにおいて、該固定軸は該ベースの近くに取り付けられ、てこ式に押し板が組み合わされ、該押し板は第１フレームの第１表面に対向し、その一端が該第１表面の凹部を押圧可能であり、該押し板は押圧の後、該凹部の変形の回復力により、もとの位置に押し戻され、押し板の別の一端は手部の操作に供され、且つ第１逆止め体が設けられたことを特徴とする、水泳用ゴーグルとしている。
請求項１２の考案は、請求項１１記載の水泳用ゴーグルにおいて、該ヘッドバンドに、等距離に第２逆止め体が設けられ、該第２逆止め体は前述の押し板の第１逆止め体と単一方向で噛み合い、即ち、ヘッドバンドが引き締めの方向のみに移動可能とされ、ゆるめる方向には移動不能とされたことを特徴とする、水泳用ゴーグルとしている。
請求項１３の考案は、請求項１２記載の水泳用ゴーグルにおいて、該第１逆止め体が直角三角柱体とされ、第２逆止め体が直角台形とされたことを特徴とする、水泳用ゴーグルとしている。
請求項１４の考案は、請求項１３記載の水泳用ゴーグルにおいて、該押し板が押圧する前記第１表面の部分に、凹部が形成されて適宜肉厚が提供され、押し板押圧の後、変形弾性により押し板を定位に押し戻すことを特徴とする、水泳用ゴーグルとしている。
請求項１５の考案は、請求項１４記載の水泳用ゴーグルにおいて、前記第１フレームの第１表面と第２表面が第２フレーム及び第２フレームのリブ、連接部、及び調整バックルのベース及び二つの組合せアームの局部を被覆し、第２フレームの中央及び左右底側の強化面、及び組合せアームの軸接孔を露出させたことを特徴とする、水泳用ゴーグルとしている。
請求項１６の考案は、フレームであって、軟質材料で形成された第１フレームと硬質材料で形成された第２フレームからなり、そのうち、
該第１フレームは、第１表面と該第１表面に背向する第２表面、該第１表面と該第２表面の間に形成された被覆溝、及び、及び第１表面と第２表面を連接する第３表面を具え、且つ第２表面にフェイスマスク式保護パッドが設けられ、
該第２フレームは、該第１フレームの被覆溝に対応する収容フレーム口を具えている、上記フレームと、
ヘッドバンド装置であって、調整バックルとヘッドバンドを包含し、該調整バックルが該フレームの左右両側に取り付けられ、該ヘッドバンドが該調整バックルと組み合わされた、上記ヘッドバンド装置と、
を包含する水泳用ゴーグルにおいて、
該調整バックルが、
硬質材料で形成されて該第２フレームと一体に形成されたベース、
該ベースの上下より対向するよう延伸されて二組の軸接孔が設けられた組合せアーム、該ベースより離れた軸接孔に取り付けられて、その両端に頸部が設けられて、該頸部により軸接孔に組み合わされた支持軸、
該ベースに近い軸接孔に取り付けられてると共に、てこ式に押し板が組み合わされ、該押し板の一端が該第１フレームの第一表面を押圧可能で、該第１フレームの軟質材料の特性により押し板が押圧後の回復力を付与され、押し板のもう一端が手部による操作に供され並びに第１逆止め体が設けられた固定軸、
を包含し、
該ヘッドバンドに等距離に第２逆止め体が設けられ、該押し板の第１逆止め体と単一方向に噛み合い、即ち、ヘッドバンドが引き締めの方向に移動可能で、緩める方向に移動不能とされたことを特徴とする、水泳用ゴーグルとしている。
請求項１７の考案は、請求項１６記載の水泳用ゴーグルにおいて、前記第１逆止め体が直角三角柱体とされ、第２逆止め体が直角台形とされたことを特徴とする、水泳用ゴーグルとしている。
請求項１８の考案は、請求項１７記載の水泳用ゴーグルにおいて、該押し板が押圧する前記第１表面の部分に、凹部が形成されて適宜肉厚が提供され、押し板押圧の後、変形弾性により押し板を定位に押し戻すことを特徴とする、水泳用ゴーグルとしている。
【考案の効果】
【０００９】
上述の目的を達成するため、本考案は、フレームが軟質材料で形成された第１フレームで、硬質材料で形成された第２フレームを被覆するよう一体成形されてなり、且つ硬質材料の第２フレームの上端に強化構造を具えたリブと強化面が設置され、これにより、第２フレームの上端中央の構造強度が増され、これにより水泳用ゴーグルを着用して引っ張る時、第２フレームの上端中央が折れ曲がらず、よって第２フレームを被覆する第１フレームの保護パッドの上端が着用者の額に接合することを特徴としている。
【００１０】
本考案のもう一つの特徴は、硬質材料の第２フレームの両側にそれぞれヘッドバンドを通し長さ調整を行うための調整バックルが設けられ、硬質材料相互の組合せにより結合が更に強固とされたことにある。
【考案を実施するための最良の形態】
【００１１】
図１に示されるように、本考案の水泳用ゴーグル１は、フレーム２、レンズ３、及びヘッドバンド装置４を包含する。そのうち、フレーム２は、軟質材料の第１フレーム２０で硬質材料の第２フレーム２１を被覆してなり、第１フレーム２０は第１表面２０１及びそれと背向する第２表面２０２を具え、第１表面２０１と第２表面２０２の間に被覆溝２０４と、第１表面２０１と第２表面２０２を連接する第３表面２０３が形成され、且つ、第１表面２０１に凹部２０１１が形成されて、押圧される時に良好な変形弾性を提供できるものとされる。また、第２表面２０２にフェイスマスク式保護パッド２０５が設けられて、人の額、眼窩下方に快適な接触効果を提供する。また、該第２フレーム２１に第１フレーム２０の被覆溝２０４に対応して収容フレーム口２１０が設けられ、該収容フレーム口２１０の中央に連接部２２が設けられ、収容フレーム口２１０が左右の二つの部分に区画される。また、左右の収容フレーム口２１０内側に位置決めピン２３が設けられて、レンズ３の初期位置決めに用いられる。且つ、第２フレーム２１上端中央に強化構造があり、図６も参照されたいが、該強化構造は、第２フレーム２１の中央に設けられたリブ２１１と、該リブ２１１に両側に向けて設置された強化面２１２を具え、該強化面２１２は中央から両側へと面積が漸減し、こうして、中央の構造強度が最大され、中央より離れた両側の構造強度ほど小さくなり、水泳用ゴーグルが引っ張られる時、第２フレーム２１の上端中央が折れ曲がって変形せず、中央両側が次第に変形するものとされる。且つ該強化面２１２に第１フレーム２０の第２表面２０２に向けて、取り付け柱２１３が設けられ、強化面２１２と取り付け柱２１３の設置により、第１フレーム２０の第１表面２０１、第２表面２０２が被覆される時、良好な抓持効果を具備するものとされる。更に、第２フレーム２１の下端の左右底側に、面積が両側に向けて漸減する強化面２４が形成され、これもまた構造強化の効果を具備する。
【００１２】
該レンズ３は２片とされ、それぞれ第２フレーム２１の左右の収容フレーム口２１０内に収容され、その周縁に複数の位置決め孔３０が設けられ、一部の位置決めピン２３に対応する位置決め孔３０によりレンズ３を位置決めピン２３に取り付けることができ、その他の位置決め孔３０は一体成形時のプラスチック材料の充填による抓持効果を提供する。
【００１３】
ヘッドバンド装置４は、調整バックル４０とヘッドバンド４１を包含し（図４）、そのうち、調整バックル４０は第２フレーム２１の左右両側に取り付けられ、それは、第２フレーム２１に一体に形成されたベース４０１と、該ベース４０１の上下より対向するよう延伸されて二組の軸接孔４０３が設けられた組合せアーム４０２、及び、この二組の軸接孔４０３に取り付けられる支持軸４０４と固定軸４０５を包含する。そのうち、該支持軸４０４の両端に頸部４０４１が設けられ、それは軸接孔４０３内に組み合わされ、これにより上下の組合せアーム４０２と強固に結合される。該固定軸４０５は該ベース４０１の近くに取り付けられ、てこ式に押し板４０６が組み合わされ、該押し板４０６は第１フレーム２０の第１表面２０１に対向し、その一端４０６１が第１表面２０１の凹部２０１１を押圧可能であり、該押し板４０６は押圧の後、凹部２０１１の変形の回復力により、押し板４０６がもとの位置に押し戻される。押し板４０６の別の一端４０６２は手部の操作に供され、且つ底面に第１逆止め体４０７が設けられ、それは直角三角柱体とされて、後述のヘッドバンド４１の第２逆止め体４１０と係合する。
【００１４】
該ヘッドバンド４１は、図４も参照されたいが、それに等距離に第２逆止め体４１０が設けられ、該第２逆止め体４１０は直角台形とされて、前述の押し板４０６の第１逆止め体４０７と単一方向で噛み合い、即ち、ヘッドバンド４１が引き締めの方向のみに移動可能とされ、ゆるめる方向には移動不能とされる。
【００１５】
本考案を組み立てる時は、まず、レンズ３を一部の位置決め孔３０により位置決めピン２３に取り付け、レンズ３の初期位置決めを行い、さらに、一体成形技術により第２表面２０２に収容フレーム口２１０に沿って、位置決めピン２３及びその他の位置決め孔３０を被覆させ、レンズ３と第１フレーム２０を結合して一体となす。さらに第１フレーム２０の第１表面２０１と第２表面２０２により第２フレーム２１及び第２フレーム２１のリブ２１１、連接部２２、及び調整バックル４０のベース４０１と二つの組合せアーム４０２の局部を被覆させ、並びに第２フレーム２１の中央及び左右底側の強化面２１２、２４及び、組合せアーム４０２の軸接孔４０３を露出させる（図２、３のとおり）。
【００１６】
続いて図４を参照されたい。本考案はヘッドバンド４１の両端がそれぞれ二組の組合せアーム４０２の間に通され、並びに支持軸４０４に掛けられた後、ヘッドバンド４１の第２逆止め体４１０が押し板４０６の第１逆止め体４０７と単一方向で噛み合わされ、即ち、ヘッドバンド４１がわずかに引き締める方向（矢印に示す）に向けて移動可能とされ、緩める方向は第１逆止め体４０７、第２逆止め体４１０の係合により移動不能とされる。ヘッドバンド４１の長さを調整する時は、図５に示されるように、押し板４０６を上向きに回転させ（矢印方向）、第１逆止め体４０７、第２逆止め体４１０の係合状態を解除すれば、ヘッドバンド４１が前後の引っ張り調整可能となる（矢印に示す）。
【００１７】
総合すると、本考案の水泳用ゴーグル１を着用する時、第２フレーム２１上端中央に強化構造が設けられ、図６も参照されたいが、該強化構造は第２フレーム２１の中央に設けられたリブ２１１と、リブ２１１の両側に設置された強化面２１２を具え、該強化面２１２が中央より両側に向けて面積が漸減するものとされ、ゆえに、中央の構造強度が最大とされ、中央より両側に向けて構造強度が漸減し、これにより水泳用ゴーグルを着用して引っ張る時、第２フレーム２１の上端中央が折れ曲がって変形せず、中央両側が次第に変形し、保護パッドの左右両側が額に密着し、進水現象を有効に防止する。さらに、調整バックル４０は硬質材料の第２フレーム２１に設けられ、これにより部品と部品の間の組合せが強固である。
【００１８】
本考案の水泳用ゴーグルは確実にその考案の目的を達成し、実用新案登録の要件に符合する。なお、以上の説明は好ましい実施の説明にすぎず、以上の説明に基づきなしうる細部の修飾或いは変更は、いずれも本考案の請求範囲に属するものとする。
【図面の簡単な説明】
【００１９】
【図１】本考案の水泳用ゴーグルの立体分解図である。
【図２】図１の立体組合せ図である。
【図３】図２の正面図である。
【図４】図３のＡ−Ａ断面図である。
【図５】本考案の水泳用ゴーグルのヘッドバンド調整表示図である。
【図６】図３の６−６断面図である。
【符号の説明】
【００２０】
１  水泳用ゴーグル
２  フレーム
３  レンズ
４  ヘッドバンド装置
２０  第１フレーム
２１  第２フレーム
２３  位置決めピン
３０  位置決め孔
４０  調整バックル
４１  ヘッドバンド
２０１  第１表面
２０２  第２表面
２０３  第３表面
２０４  被覆溝
２０５  保護パッド
２０１１  凹溝
２１０  収容フレーム口
２１１  リブ
２１２  強化面
２１３  取り付け柱
４０１  ベース
４０２  組合せアーム
４０３  軸接孔
４０４  支持軸
４０５  固定軸
４０６  押し板
４０７  第１逆止め体
４１０  第２逆止め体
４０６１，４０６２  一端
【図１】
0003118679.tif 000003
【図２】
0003118679.tif 000004
【図３】
0003118679.tif 000005
【図４】
0003118679.tif 000006
【図５】
0003118679.tif 000007
【図６】
0003118679.tif 000008